(57)【要約】【課題】  電化製品のほとんどに、ＤＣ電源が使用されているにもかかわらず、ＤＣ電源用コンセントが存在しないため、製造会社は、製品毎にＡＣ／ＤＣ電源部を製作し対応している。ＡＣ／ＤＣ電源部は、製品の小型・軽量化に対し技術的な問題となっている。次に、通信機能付き電化製品は、電源用ケーブルに加え、通信用ケーブルがもう１本余分に必要となっている。【解決手段】  本発明の通信端子付電源コンセントは、装置を壁の中に取付け、ＤＣ電源用コンセントと通信用コンセントを一体化して運用する。それにより、製品本体のＡＣ／ＤＣ電源部の省略化とケーブルの１本化を可能にする。接続機器による異種電圧の対応と端子形状の違いは、電圧変換回路を備えたアタッチメントケーブルを接続することで解消する。【選択図】      図１
2005333797.tif 000002
【特許請求の範囲】
【請求項１】
壁に埋め込まれて設置されるコンセントであって、
所定の面の一つの直線の上に設けられた、電源端子と通信端子とを備える
通信端子付電源コンセント。
【請求項２】
前記電源端子は２個存在し、前記通信端子は複数個存在し、
２個の前記電源端子は、複数個の前記通信端子を挟んでいる
請求項１記載の通信端子付電源コンセント。
【請求項３】
前記電源端子の前記面における形状は長方形であり、
一方の前記電源端子の前記長方形の長手方向は、前記直線と平行しており、
他方の前記電源端子の前記長方形の長手方向は、前記直線と直交している
請求項２記載の通信端子付電源コンセント。
【請求項４】
更に、交流を直流に変換する変換回路を備え、
前記電源端子は直流電源の端子である
請求項１から３のいずれか１項に記載の通信端子付電源コンセント。
【請求項５】
更に、
前記面に設けられた、前記電源端子からの直流が短絡した場合の本体内部の回路を保護する過電流保護回路と、
前記面に設けられた、複数の電源のなかから前記電源端子へ接続する電源を選択するためのジャンパー端子と、
前記面に設けられた、複数の通信線のなかから前記通信端子へ接続する通信線を選択するための集合スイッチ回路とを備える
請求項１から４のいずれか１項に記載の通信端子付電源コンセント。
【請求項６】
更に、
本体と接続する通信端末機能付き電化製品との間における、直流電圧値の違い及び通信端子の形状の違いを解消する、電圧変換回路を有するアタッチメントケーブルを備える
請求項１から５のいずれか１項に記載の通信端子付電源コンセント。
【発明の詳細な説明】
【技術分野】
【０００１】
本発明は、主として通信端末機能を備えた電化製品（デジタルネットワーク家電も含む）に対し、給電端子と通信端子を一体化し効率化を図ったコンセントに関するものである。
【背景技術】
【０００２】
一般的に電化製品のほとんどは、最終的にはＤＣ電源で動作する。
にもかかわらず、電化製品への給電は、ＡＣ１００Ｖである。
【０００３】
ＤＣ電源を確保するため、製造会社側が製品毎にＡＣ／ＤＣ電源部を装備して対応を図っている。
【０００４】
さらに、製品におけるＡＣ／ＤＣ電源部は、製品の小型・軽量化に対して技術的に大きな問題となっている。
【０００５】
次に、通信機能を備えた電化製品における配線方法については、電源用ケーブルとは別に、通信用ケーブルがもう１本余分に必要となり、常に２本の線が必要になっている。
【特許文献１】特開平６−２３７４９０号公報
【発明の開示】
【発明が解決しようとする課題】
【０００６】
本発明は、電源用ケーブルと通信用ケーブルとが１本化された場合に対応する通信端子付電源コンセントを提供することを目的とするものである。
【課題を解決するための手段】
【０００７】
そして、本発明は上記目的を達成するために図１のような回路構成を有し、本体１は図２のように壁の中に埋め込んで設置する。
【０００８】
図３のように、本体１の前面部には過電流保護回路４、２０とジャンパー端子７、２１と集合スイッチ回路８、２３を装備し、違った電源供給方法や通信方法に対しても、容易に設定変更ができる通信端子付電源コンセントになっている。
【０００９】
図５の接続構成によって、電源用ケーブルと通信用ケーブルの２本を１本化にすることが可能となり、さらに図６記載のアタッチメントケーブル３８を用いれば、ほとんどの通信機能付き電化製品に対し接続が可能となる。
【発明の効果】
【００１０】
本発明は、電源用ケーブルと通信用ケーブルとが１本化された場合に対応する通信端子付電源コンセントを提供することができる。
【００１１】
本発明の通信端子付電源コンセントによって、外付け用のＡＣ／ＤＣアダプターが省略化され、飛躍的に製品の小型・軽量化に貢献することが可能となる。
【００１２】
さらに、本発明の通信端子付電源コンセントは、電源端子２つと通信端子４つを有した簡単な構造であるにもかかわらず、前面の操作部より、ほとんどの通信方式への対応が容易にでき、同時にケーブルの本数も従来の２本から１本に省略化することが可能となっている。
【発明を実施するための最良の形態】
【００１３】
通信端子の本体１は、図２に示すように、壁の内側に埋め込んで設置し、ＡＣ１００Ｖ用コンセントと同じように、部屋側に対して出っ張りをなくした構造にしている。
【００１４】
図３に示すように、コンセント端子部１２ａ，１２ｂと、通信端子１２ｃから１２ｆとが、本体１の前面の一つの直線の上に設けられている。コンセント端子部１２ａとコンセント端子部１２ｂは、通信端子１２ｃから１２ｆを両側から挟むように設けられている。また、コンセント端子部１２ａ，１２ｂの本体１の前面における形状は長方形であり、コンセント端子部１２ａの長方形は上記直線と直交しており、コンセント端子部１２ｂの長方形は上記直線と平行である。すなわち、１２ａと１２ｂのピンの配置は逆接続防止のため直角に配置されている。
【００１５】
同様に、コンセント端子部２７ａ，２７ｂと、通信端子２７ｃから２７ｆとが、本体１の前面の一つの直線の上に設けられている。コンセント端子部２７ａとコンセント端子部２７ｂは、通信端子２７ｃから２７ｆを両側から挟むように設けられている。また、コンセント端子部２７ａ，２７ｂの本体１の前面における形状は長方形であり、コンセント端子部２７ａの長方形は上記直線と直交しており、コンセント端子部２７ｂの長方形は上記直線と平行である。
【００１６】
電源ヒューズの交換を容易にするため、本体１の前面部には、コンセント端子部１２ａ，２７ａからの電流が短絡した場合の本体１内部の回路を保護する過電流保護回路４を配置している。
【００１７】
新しい供給電源として期待されている、燃料電池１３用のコンセントとしても容易に変換できるように、コンセント１の前面部にはジャンパー端子７，２２を備えている。すなわち、ジャンパー端子７，２２は、複数の電源のなかからコンセント端子部へ接続する電源を選択するための手段である。
【００１８】
ＬＡＮ、ＦＴＴＨ１６と電話線、ＩＳＤＮ１７の切替え対応も容易に図れるよう、本体１の前面部には、集合スイッチ回路８、２３を配置している。すなわち、集合スイッチ回路８は、複数の通信線のなかから、通信端子１２ｃから１２ｆへ接続する通信線を選択するための手段である。同様に、集合スイッチ回路２３は、複数の通信線のなかから、通信端子２７ｃから２７ｆへ接続する通信線を選択するための手段である。
【００１９】
電力線通信にも対応可能とするため、本体１にはフィルター回路６、２１を組み込んでいる。
【００２０】
コンセント端子部１２，２７は図１に記載されているように、１２ａにプラス２４Ｖが出力され、１２ｂがアースとなっている。すなわち、コンセント端子部は直流の電源端子である。
【００２１】
次に、通信線１の１２ｃ、１２ｄは、４Ｗの送信用に、通信線２の１２ｅ、１２ｆは、２Ｗの送受信用と４Ｗの受信用に設計されている。
【００２２】
入力端子３，１９は、図４のように本体１の上部に２列で配置されている。
図６に記載している、アタッチメントケーブル３８において、ケーブルプラグ１２とアタッチメント３３、３４は脱着が可能であり、また、アタッチメント３３、３４の中には、本体１と接続する通信端末機能付き電化製品との間における、直流電圧値の違いを解決するための電圧変換回路を備えている。
【００２３】
さらに、接続される通信機能付き電化製品に適合した通信端子３６、ＤＣプラグ３７をケーブルの先に付けて、接続の整合性を図る。すなわち、アタッチメントケーブル３８は、本体１と接続する通信端末機能付き電化製品との間における、通信端子の形状の違いを解消する。
【００２４】
将来、直流電源の電圧値が統一化された場合は、アタッチメントケーブルは、コンセント端子部１２だけで構成された接続ケーブルで済み、接続の容易さと製品コストの削減が図れる。
【００２５】
なお、図１に示すように、本体１には、交流を直流に変換する直流電源装置５が設けられている。
【図面の簡単な説明】
【００２６】
【図１】本発明の通信端子付電源コンセントの回路構成を示すブロック図
【図２】同通信端子付電源コンセントの構造を側面から示した平面図
【図３】同通信端子付電源コンセントの構造を正面から示した平面図
【図４】同通信端子付電源コンセントの構造を上面から示した平面図
【図５】同通信端子付電源コンセントと実際の機器との接続系統を示した図
【図６】アタッチメントケーブルの接続系統を示した図
【符号の説明】
【００２７】
１    通信端子付電源コンセント本体
２    通信端子付電源コンセントの回路図１
３    入力端子１
４    過電流保護回路１
５    直流電源装置
６    フィルター回路１
７    ジャンパー端子１
８    集合スイッチ回路１
９    DCライン
１０  通信線１
１１  通信線２
１２  コンセント端子部１
１３  直流供給電源
１４  ＡＣ１００Ｖ
１５  予備端子
１６  ＬＡＮ、ＦＴＴＨ
１７  電話線、ＩＳＤＮ
１８  通信端子付電源コンセントの回路図２
１９  入力端子２
２０  過電流保護回路２
２１  フィルター回路２
２２  ジャンパー端子２
２３  集合スイッチ回路２
２４  ＤＣライン
２５  通信線１
２６  通信線２
２７  コンセント端子部２
２８  予備端子
２９  予備端子
３０  予備端子
３１  ＬＡＮ、ＦＴＴＨ
３２  電話線、ＩＳＤＮ
３３  アタッチメント
３４  アタッチメント
３５  ノートＰＣ、電話、ファックス、ＡＤＳＬモデム、デジタルネットワーク家電
３６  通信端子
３７  ＤＣプラグ
３８  アタッチメントケーブル
【図１】
2005333797.tif 000003
【図２】
2005333797.tif 000004
【図３】
2005333797.tif 000005
【図４】
2005333797.tif 000006
【図５】
2005333797.tif 000007
【図６】
2005333797.tif 000008
【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
壁に埋め込まれて設置されるコンセントであって、
本体前面の一つの直線の上に設けられた２個の電源端子と、
前記直線の上に設けられた、２個の前記電源端子によって挟まれた複数個の通信端子と、
交流電源を直流電源に変換する変換回路と、
前記前面に設けられた、外部からの直流電源と、前記変換回路によって得られる直流電源とのうちの前記電源端子へ接続する電源を選択するためのジャンパー端子と、
前記前面に設けられた、複数の通信線のなかから前記通信端子へ接続する通信線を選択するための集合スイッチ回路とを備え、
前記電源端子の前記前面における形状は長方形であり、一方の前記電源端子の前記長方形の長手方向は前記直線と平行しており、他方の前記電源端子の前記長方形の長手方向は前記直線と直交している
通信端子付電源コンセント。
【請求項２】
前記複数の通信線は、（Ａ）前記交流の電力の２本の通信線と、（Ｂ）ＬＡＮ  ＦＴＴＨの４ワイヤの通信線と、（Ｃ）電話線の２ワイヤの通信線と、を含み、
前記複数個の通信端子は、（ａ）前記交流の電力の２本の通信線と前記４ワイヤの通信線のうちの一の一組の２本の通信線とのいずれかと接続される第１の通信端子と、（ｂ）前記４ワイヤの通信線のうちの他の一組の２本の通信線と前記２ワイヤの通信線とのいずれかと接続される第２の通信端子と、を含み、
前記集合スイッチ回路は、（１）前記交流の電力の２本の通信線を前記第１の通信端子と接続するか否かを選択するための第１のスイッチと、（２）前記４ワイヤの通信線のうちの前記一の一組の２本の通信線を前記第１の通信端子と接続するか否かを選択するための第２のスイッチと、（３）前記４ワイヤの通信線のうちの前記他の一組の２本の通信線を前記第２の通信端子と接続するか否かを選択するための第３のスイッチと、（４）前記２ワイヤの通信線を前記第２の通信端子と接続するか否かを選択するための第４のスイッチと、を含む
請求項１記載の通信端子付電源コンセント。